(57)【要約】標準化において多数の注目を引き出すため、コピープロテクションの用途のためのパーソナルコンピュータのグラフィックスカードにおけるウォーターマーク検出が最近始められている。グラフィックスカードにおける検出は、高いデータレート、大きなスケールレンジ及び表示領域における多数のビデオストリームの存在に関連する必要がある、ＤＶＤドライブにおける以前の考慮された検出とは完全に異なる問題を有している。本発明は、かかるルミナンス信号においてウォーターマークを検出するために配置されている従来のウォーターマーク検出器３１によるウォーターマーク検出の前に、コンピュータのＲＧＢ出力のルミナンス信号（Ｙ）への変化を提案する。調査されるモニタ画像の解像度は、コンピュータのＤＶＤドライブで再生されている（ＭＰＥＧ２圧縮された）コンテンツの従来のＴＶ解像度に変換されるのが好ましい。多数の出力（ＶＧＡ，ＴＶ，ＤＶＩ）を提供するグラフィックスカードでは、同じウォーターマーク検出器は、出力のそれぞれに時間的に連続して接続される場合がある。
2005537737.tif 000002
【特許請求の範囲】
【請求項１】
コンピュータシステムに接続可能なディスプレイスクリーンでの表示のためのコンピュータシステムによりレンダリングされるマルチメディア信号でウォーターマークを検出する方法であって、
色信号成分の形式でマルチマディア信号を受信するステップと、
該マルチメディア信号の疑いのある画像を、それぞれの色信号成分の領域において画像領域のサイズが繰返し埋め込まれるウォーターマークのパターンのサイズに対応する画像領域に分割するステップと、
それぞれの色信号成分について、色信号成分の領域で蓄積された画像領域を得るため、同じ色信号成分の領域で画像領域を蓄積するステップと、
該色信号成分の領域での該蓄積された画像領域をルミナンス信号の領域での蓄積された画像領域に変換するステップと、
該ルミナンス信号の領域での該蓄積された画像領域においてウォーターマークのパターンを検出するステップと、
を有することを特徴とする方法。
【請求項２】
該変換するステップは、Ｙをルミナンス信号、Ｒ，Ｇ及びＢを色信号成分としてＹ＝Ｒ／４＋Ｇ／２＋Ｂ／８を計算するステップを有する、
請求項１記載の方法。
【請求項３】
該ウォーターマークを検出するステップは、予め決定された解像度を有するルミナンス信号においてウォーターマークを検出するために配置されるウォーターマーク検出器を使用するステップを有し、
該ウォーターマークの検出前に、該マルチメディア信号の解像度を該予め決定された解像度を変化するステップをさらに有する、
請求項１記載の方法。
【請求項４】
ディスプレイシステムにそれぞれ接続可能な複数の出力を通してコンピュータシステムによりレンダリングされているマルチメディア信号においてウォーターマークを検出する方法であって、
請求項１乃至３のいずれかに従って動作するウォーターマーク検出器を該複数の出力に時間的に順次接続するステップを有する、
ことを特徴とする方法。
【請求項５】
コンピュータシステムのディスプレイ出力を介したディスプレイスクリーンでの表示のためのマルチメディア信号をレンダリングするためのコンピュータシステムであって、該コンピュータシステムは、該ディスプレイ出力に接続されるウォーターマーク検出器を有し、
該ウォーターマーク検出器は、
色信号成分の形式でマルチメディア信号を受信し、
該マルチメディア信号の疑いのある画像を、それぞれの色信号成分の領域において画像領域のサイズが繰返し埋め込まれるウォーターマークパターンのサイズに対応する画像領域に分割し、
それぞれの色信号成分について、該色信号成分の領域で蓄積された画像領域を得るため、同じ色信号成分の領域で画像領域を蓄積し、
該色信号成分の領域での該蓄積された画像領域をルミナンス信号の領域での蓄積された画像領域に変換し、
該ルミナンス信号の領域での該蓄積された画像領域においてウォーターマークパターンを検出する、
ために配置されることを特徴とするコンピュータシステム。
【請求項６】
ディスプレイスクリーンにそれぞれ接続可能な複数のディスプレイ出力を有するコンピュータシステムであって、該ウォーターマーク検出器を該複数の出力のうちの１つに時間的に順次接続するための手段をさらに含む、
請求項５記載のコンピュータシステム。
【請求項７】
該グラフィックスカードのディスプレイ出力を介してディスプレイスクリーンでコンピュータシステムによりレンダリングされるマルチメディア信号を表示するためのグラフィックスカードであって、該グラフィックスカードは、該ディスプレイ出力に接続されるウォーターマーク検出器を有し、
該ウォーターマーク検出器は、
色信号の成分の形式でマルチメディア信号を受信し、
該マルチメディア信号の疑いのある画像を、それぞれの色信号成分の領域において画像領域のサイズが繰返し埋め込まれるウォーターマークパターンのサイズに対応する画像領域に分割し、
それぞれの色信号成分について、該色信号成分の領域で蓄積された画像領域を得るため、同じ色信号領域で画像領域を蓄積し、
該色信号成分の領域での該蓄積された画像領域をルミナンス信号の領域での蓄積された画像領域に変換し、
該ルミナンス信号の領域での該蓄積された画像領域におけるウォーターマークパターンを検出する、
ために配置されることを特徴とするグラフィックスカード。
【請求項８】
ディスプレイスクリーンにそれぞれ接続可能な複数のディスプレイ出力を有するグラフィックスカードであって、
該グラフィックスカードは、該ウォーターマーク検出器を該複数の出力のうちの１つに時間的に順次接続するための手段をさらに含む、
ことを特徴とする請求項７記載のグラフィックスカード。
【発明の詳細な説明】
【技術分野】
【０００１】
本発明は、メディア信号においてウォーターマークを検出するための方法及び装置に関し、より詳細には、パーソナルコンピュータのグラフィックスカードを通して再生されるメディア信号においてウォーターマークを検出するための方法及び装置に関する。
【背景技術】
【０００２】
最近まで、ＤＶＤコピープロテクションコミュニティは、ＤＶＤ−ＲＯＭ又はＤＶＤリライタドライブで行われるパーソナルコンピュータでのプレイバック制御のためのウォーターマーク検出を検討している。この状態のためのモチベーションは、ウォーターマーク検出は、適切に機能するために装置が暗号解読することを必要とする暗号化とは対照的に寛容な技術である（すなわち、再生又は記録装置は、ウォーターマーク検出器と共に動作するか、又は該検出器なしで動作する）。もろいコンセンサスでは、ＤＶＤ−ＲＯＭドライブがディスク上のＭＰＥＧ２圧縮非暗号化ＤＶＤビデオコンテンツにコピーネバー・ウォーターマーク又はコピーワンス・ウォーターマークを検査したものである。かかるケースでは、（コピーワンス又はコピーネバーコンテンツが常に暗号化されているため）再生が停止されるべきである。
【０００３】
図１は、ＤＶＤドライブにおけるプレイバック制御のウォーターマーク検出によるＰＣシステムアーキテクチャを概念的に示している。ＰＣは、ＤＶＤドライブ１、オペレーティングシステム及びアプリケーションソフトウェアを実行するマイクロプロセッサ及び関連する回路をもつマザーボード２、及びグラフィックス回路３を有している。マザーボードには、ＤＶＤドライブへのデータ及びＤＶＤドライブからのデータを転送するためのＩＤＥバス４、グラフィックスカードを接続するためのＡＧＰスロット又はＰＣＩスロット５が設けられている。ＤＶＤドライブは、ＤＶＤディスク６からのデータを読み取るためのベーシックエンジン１１、ＩＤＥバスにドライブを接続するためのホストインタフェース１２を含んでいる。ウォーターマーク検出器のコア１４によるウォーターマーク検出を可能にするため、ドライブは、コンテンツを少なくとも部分的に非圧縮するためのＭＰＥＧ２パーザ１３を有している。コンテンツの再生を停止することは、スイッチ１５により記号的に示されており、このスイッチは、ウォーターマーク検出コア１４により制御される。
【発明の開示】
【発明が解決しようとする課題】
【０００４】
しかし、ＤＶＤドライブにおけるウォーターマーク検出器を使用したプレイバック制御をもつＰＣシステムは、オープンアーキテクチャＰＣにおける主要なセキュリティホールを残している。１つのかかるセキュリティホールは、コンテンツが全てのビットを反転することでスクランブルされた形式で記録される場合があることである。ＭＰＥＧ２規格に準拠したストリームがもはや存在しないので、ドライブにおけるパーサ１３は失敗し、ウォーターマークが発見されない。ビットフリップは、メディアプレーヤソフトウェアの直前又は内部で受ける。別のかかるセキュリティホールは、コンテンツがＭＰＥＧ２を使用しないが、（ＤｉｖＸという名の下で普及している）ＭＰＥＧ４、フラクタルコーディング、Windows  Media,  Real等を使用して圧縮される場合がある。全てのこれらのフォーマットについてボード上にパーサを有することはＤＶＤドライブにとって不可能であるので（及びハッカーは、ドライブを騙すために新たなコーデックを発明するので）、ウォーターマークは検出されない。ＭＰＥＧ２以外のコーデックで圧縮された（違法な）コピーは、現在のＤＶＤビデオプレーヤで再生しないが、ＤＶＤビデオプレーヤにとって益々多くのコーデックをサポートするトレンドが存在する。
【０００５】
したがって、圧縮の伸張の後及びレンダリング、すなわちＭＰＥＧデコーダカード又はグラフィックスカードの直前にウォーターマーク検出器を配置することが既に提案されている。伸張の後、全てのコンテンツが人間の目により消費のために準備されている明白なベースバンドフォーマットに低減する。はじめに、ＭＰＥＧデコーダ会社又はグラフィックスカードの製造業者にかかるウォーターマーク検出器を強制的に搭載させることは困難であると考えられていた。この認識はずっと変更されていない。
【０００６】
グラフィックスカードにおいてウォーターマークを検出することはアーキテクチャ的に非常に簡単かつ清潔であるが、実際に、非常に大きい速度でグラフィックスカードを通して流れる莫大な量のデータのため、及び多数のストリームを同時に表示することができる事実のため、このロケーションについて多数の問題が存在する。
【課題を解決するための手段】
【０００７】
本発明の目的は、先に識別された問題のためのソリューションを提供することにある。この目的のため、本発明は、独立の請求項で定義されるような方法及び装置を提供する。有利な実施の形態は、従属の請求項で定義される。
【発明を実施するための最良の形態】
【０００８】
図２は、本発明の１態様に係る（ＰＣマザーボード２に接続されるか又は集積される）グラフィックスカード３０をもつコンピュータシステムを示している。グラフィックスカードは、ＡＧＰ／ＰＣＩインタフェース３０１のような従来の回路、ディスプレイエンジン３０２、メモリインタフェース３０３、ビデオＲＡＭ３０４、及びＤ／Ａコンバータ３０５を有している。ベースバンドウォーターマーク検出器３１は、ビデオデータが（外部の）ディスプレイスクリーンに印加される直前であって、グラフィックスカードの出力（又は多数の出力）に結合されている。ウォーターマーク検出器３１は、適用可能なコピープロテクションアルゴリズムに従って、コンテンツがディスプレイスクリーンに表示されるのを防止するため、１以上のスイッチ３５を制御する。スイッチ３５は、図１におけるスイッチ１５と同じ機能を有する。
【０００９】
１つの問題は、出力でのデータがＲＧＢフォーマットであることであり、これにより殆どのウォータマークスキームはルミナンスチャネルと動作する。公知の式（Ｙ／０．５８７）＝０．５０９Ｒ＋Ｇ＋０．１９４Ｂ（この場合０≦Ｒ，Ｇ，Ｂ＜１）に従うＲＧＢフォーマットからルミナンスＹへの変換は、２回の加算と２回の乗算を必要とする。これは非常にコストがかかり、特に高いデータレートでコストがかかる。
【００１０】
本発明に係るシステムでは、ＲＧＢ−Ｙコンバータ３２は、Ｙを近似すること、すなわち、算術シフトのみで実現することができるＹ≒０．２５Ｒ＋０．５Ｇ＋０．１２５Ｂ＝Ｒ／４＋Ｇ／２＋Ｂ／８により乗算を回避する。加算を回避する実施の形態では、コンバータは、Ｙ≒Ｇとなるように緑色の信号を単に選択する。
【００１１】
ウォーターマークは、小さなサイズの基本ウォーターマークパターンを全体の画像にわたって“タイル張り”することで埋め込まれることがある。対応するウォーターマーク検出器は、基本ウォーターマークパターンと同じサイズの画像領域に疑いのある画像を分割し、かかる画像領域をバッファに蓄積し（折畳みと呼ばれる処理）、蓄積された画像領域において基本ウォーターマークパターンの存在についてバッファをチェックする。ウォーターマーク検出器３１がかかるタイプである場合、３原色Ｒ，Ｇ，Ｂが有利にも蓄積され、３つの個別の折り畳みバッファを使用して始めに折畳みされる。ＲＧＢのＹへの変換は、オンザフライの代わりに、折畳みの後にオフラインで実行される。この手順は、３倍のメモリを要するが、他のプロセスについて使用されるビデオメモリの量に関して通常は無視することができる。このオプションは、３倍のデータはメモリに転送される必要があるため、より多くのメモリの帯域幅を必要とする。
【００１２】
図２に示されるアーキテクチャに関連する別の問題は、グラフックスカードから到来するビデオが以下の表に例示されるような、いずれかの解像度であることができることである。
【００１３】
【表１】
2005537737.tif 000003
補間した解像度をもつ、あるグラフィックカードによりサポートされる他のグラフィックスカードが存在することがある。なお、（ＰＡＬ又はＮＴＳＣにおける）通常のベースバンドウォーターマーク検出のための画素クロックは、１３．５ＭＨｚである。出力インタフェースは、通常のＰＡＬ／ＮＴＳＣベースバンド検出に比べて１３×高いデータレートにまで有する場合がある。ベースバンド検出は、各画素について１つの加算を有しており、したがって加算器は、１３×速く動作しなければならない。
【００１４】
この問題を軽減するため、グラフィックカードは、空間的（及び可能であれば時間的）に画素データをサブサンプルする解像度コンバータ３３を含んでおり、たとえば、検出のために使用される情報は、フレーム１からライン１であり、フレーム２からライン２である等である。代替的に、画像の一部のみがウォーターマーク検出される。
【００１５】
さらに、図２に示されるように、グラフィックスカードでの多数の出力が存在する。現在のところ、コンピュータ（又はそのグラフィックスカード）には、リビングルームのＴＶでのＰＣでレンダリングされるＤＶＤ動画を表示するための従来のＶＧＡ出力及びＴＶ出力が設けられている。最近、デジタルＤＶＩインタフェースは、このパレットに追加されている。全てのこれらの出力は、独立に制御することができる（すなわち、異なるデータを表示する）ので、単純に、検出器の数は出力数に等しく、このことは、かなりのコスト負担をなしている。
【００１６】
この問題は、ウォーターマーク検出器を異なる出力に時間多重すること、すなわち固定された時間量について最初に出力１で検出し、次いで出力２で検出する等で解決することができる。上記目的のため、システムは、セレクタ３４を含んでおり、このセレクタは、グラフィックスカードの出力のうちの１つを時間連続して選択する。また、全ての出力を同時にチェックすることも可能である。
【００１７】
パーソナルコンピュータのグラフィックスカードにより発生されている信号におけるウォーターマークを検出することに関連する更なる問題が存在する。これら更なる問題は、パーソナルコンピュータがディスプレイスクリーンのそれぞれの「ウィンドウ」において複数のアプリケーションを一般に同時に実行することができるという事実により引き起こされる。それぞれのウィンドウは、ユーザにより任意に位置付けられ、スケーリングされる場合がある。
【００１８】
したがって、ウォーターマーク検出器３１が処理する必要があるスケールの電位のレンジは、非常に大きい。画質をなお保持している最も高いスケールのうちの１つは、モニタ上でコンテンツ（たとえば、フルスクリーンＤＶＤ動画）を表示することである（１６００×１２００画素までのぼる）。大雑把に、最も低いスケールは、ビデオが３５２×２００画素に低減されるときであり、これは、インターネットからダウンロードされる動画について一般的なフォーマットである。スケールレンジは、水平に０．５．．．２．２及び垂直に０．４．．．２．５であり、したがって現在利用可能なウォーターマーク検出は、レンジ０．５．．．１．５におけるスケールに対処するために設計されている。
【００１９】
本発明の第二の態様によれば、コンピュータのビデオ出力は、信号がフレームからフレームに変化する画像領域を位置付けするために検査される。このように、ビデオは、デスクトップ上で全ての他の情報から識別される。これは、リアルタイムビデオが多くの変化を含んでいるためである。次いで、関心のある（好ましくは矩形の）領域を提供するため、該画像領域の周りにバウンディングボックスが生成される。ここで、バウンディングボックスは、アプリケーションが実行されるウィンドウを構成することが考慮される。
【００２０】
図３は、本発明の本態様にかかるＰＣを概念的に示している。この図では、ピクセルアクティビティ検出器３６は、以前のフレームに関する（閾値付けされた）変化を検出及び記憶する。接合回路３７は、画像領域の周りのバウンディングボックスを著しい変化でフィットする。文献により知られている。アクティビティの領域から始めて、かかるポイントを含む最も固定された可能性のあるバウンディングボックスを決定することができることが知られている。通常のウォーターマーク検出が続いて実行され、必要に応じて、変換３２により先行される。言い換えれば、スケール変化及びペイロード検出のみを有する前に（図２参照）、「関心のある検出領域」を追加している。
【００２１】
このＰＣアークテクチャの動作を説明するため、図４Ａは、異なるアプリケーションが実行される２つのアプリケーションウィンドウ４１及び４２をもつMicrosoft  Windows（登録商標）オペレーティングシステムのデスクトップを示している。この例では、ＤＶＤ動画プレーヤアプリケーションによりウィンドウ４２が生成される。図４Ｂは、グラフィックスカードにおける回路３６，３７により検出される関心のある領域のコンテンツを示している。関心のある領域におけるコンテンツが通常の７２０×４８０又は７２０×５７６フォーマットにアップサンプル又はダウンサンプルされ、通常のベースバンドウォーターマーク検出器に供給される場合、コンテンツが１．０に十分に近いスケールで処理される可能性が非常に高い。
【００２２】
なお、変化検出３６は、記憶空間を保持するためサブサンプルされたビデオフレームで実行される場合がある。また、変化検出は、（たとえば、はじめに、左上コーナにおける変化領域を発見しようと試み、次いで、右上コーナにおける変化領域を発見しようと試みる）「ブロック毎に」実行される場合がある。
【００２３】
本発明の更なる態様は、ウォーターマークの検出された存在又は不存在に関する動作に関する。図５は、全てのコンポーネントがウォーターマーク検出を確実にするために機能するのを確かめるプロトコルの図を概念的に示している。ブロック１６，２１，２２及び３８は、認証プロセス又は装置を示している。この考案されるアーキテクチャでは、ＤＶＤドライブ１０は、ＰＣに存在するウォーターマーク検出器３１をもつグラフィックスカード３０が存在するかをブートアップでチェックする。ウォーターマーク検出器をもつかかるグラフィックカードが存在しない場合、ドライブはデータを出力しない。かかる特定のグラフィックスカードが存在する場合には、ドライブはデータを出力する。
【００２４】
グラフィックスカードにおけるウォーターマーク検出器３１がウォーターマークを検出するとき、ウォーターマークされたデータをレンダリングすることができる互換性のあるアプリケーションを認証しようとする。かかる認証が成功した場合、グラフィックスカードは、動作をなす（たとえば、有効なＤＶＤビデオは、認証されたアプリケーションを使用して再生される）。かかる互換性のあるアプリケーションを発見することができない場合、コンテンツは、ある認可されていないソースから到来しており、たとえば、ドライブにおいて違法にコピーされたディスクは、ある著作権侵害者又は他の互換性のないソフトウェアによりレンダリングされる。その後、グラフィックスカードは、スイッチ５５（図２及び図３参照）をアクチベートすることで、かかる出力をシャットダウンするか、又はさもなければ、ウォーターマークが検出されたボックス領域のViewing  Pleasureを破壊する。代替的に、メッセージは、認可されていないストリームにおけるウォーターマークの検出を示すため、全体の画像にわたってスクロールすることができる。
【００２５】
ＰＣは、ＤＶＤドライブ１０のようなソースから得られた可能性のあるウォーターマークされたコンテンツを圧縮伸張及びレンダリングするような１以上のアプリケーションを実行する。なお、互換性のあるアプリケーションは、該アプリケーションがレンダリングしているデータの原点に関して確かであり、これは、該アプリケーションもまたドライブで認可されるためである。また、アーキテクチャはより汎用的である。より詳細には、ソースは、必ずしもＤＶＤドライブではない。たとえば、ソースは、アナログキャプチュアカード、ＭＰＥＧエンコーダカード、又はＩＥＥＥ１３９４ボードである場合がある。
【００２６】
先に示されるアーキテクチャでは、ハッカーは、以下のハックを実行する場合がある。彼（彼女）は、レンダリングすることなしに、ＤＶＤ＋Ｒからハードディスクに彼（彼女）が見たい違法コンテンツをコピーする。その後、彼（彼女）は、あるウィンドウにおいて互換性のあるアプリケーションによりＤＶＤドライブからの有効なプロテクトされたＤＶＤビデオを再生し、一方で、違法なマテリアルは、別のウィンドウにおける互換性のないアプリケーションによりレンダリングされる。ウォーターマーク検出器は、（ウィンドウのいずれか１つにおいて）ウォーターマークを発見するが、ＤＶＤドライブにおけるオリジナルの動画と一致することが想定される。このように、違法なマテリアルは捕捉されない。互換性のあるアプリケーションを乱用することさえも可能であって、ハードディスク上の違法なコンテンツは、（ハッキングされた）ＣＳＳで再び暗号化することができ、これにより有効なコンテンツとして区別される。この再びＣＳＳ処理されたコンテンツは、互換性のあるプレーヤにより許容され、グラフィックスカードにおけるウォーターマーク検出後、このアプリケーションはそれについて保証する。
【００２７】
したがって、互換性のあるアプリケーション又はドライブに追跡することができる検出器がウォーターマークされたコンテンツを発見したとき、検出器は、他の関心のある領域をサーチし、そこでウォーターマークを検出し続ける。実際に、ディスプレイ上のバウンディングボックスを開始することで、常時同じバウンディングボックスで終了することを避けるため、これを実現することができる。別のウォーターマークされた関心のある領域が発見されたとき、別の互換性のあるアプリケーション又はソースも存在する。それが存在しない場合、違法なコンテンツが再生され、グラフィックカードは、これに応じて動作するために制御される。
【００２８】
代替として、グラフィックスカードは、ブート時間で認可されたチャネルのセットップを使用してウォーターマークペイロードのドライブを通知する場合がある。ドライブは、このウォーターマークペイロードがこのディスクと一致するかをディスクから立証する。一致しない場合、他のコピーされたマテリアルのソースが存在する必要がある。この方法が動作するため、ウォーターマークペイロードは、たとえばリードイン領域における現在使用されていないセクタである、ハッカーにより検索することができないようなやり方で、ディスクに記憶される必要がある。このことは、ドライブにコストを追加しない。
【００２９】
ハッカーは、以下のハッキングを実行する場合がある。彼は、第二の互換性のないグラフィックスカードをＰＣに挿入する。彼がドライブからの違法なマテリアルを再生するために互換性のないカードを使用しつつ、彼が（ハッキングされたドライバを使用して）ドライブに対してグラフィックスカードに認可するのを可能にする。第二のハックシナリオは、彼が互換性のないグラフィックスカードを彼のＰＣにただ挿入するが、互換性のあるグラフィックカードをもつ別のＰＣにネットワークを介して（ホームネットワーク又はインターネット）を介してＰＣに接続するときである。第三のハックシナリオは、互換性のあるＤＶＤドライブ及びウォーターマーク検出器をもつ互換性のあるグラフィックスカードが単一のＰＣに存在する場合であり、認証後、ハッカーは、ドライブにおける違法のディスクからのデータを、ネットワークのどこかにある互換性のないグラフィックスカードをもつ別のＰＣで実行している互換性のないアプリケーションに流す。
【００３０】
オペレーティングシステム及びＢＩＯＳは、ＰＣのプラグインカードのコンフィギュレーションに関する信頼できる情報を有する、ＰＣにおける単なるエンティティである。第一のハックシナリオのためのソリューションは、ＢＩＯＳ又はＯＳについて（セキュリティの理由のため）ＰＣにおける互換性のあるグラフィックスカードと互換性のないグラフィックスカードとの組み合わせを禁止することである。第二のハックシナリオは、ＯＳ及びＢＩＯＳについて、ネットワークを通してグラフィックスカードによる認証を不可能にする。このことを実現する方法は、ＯＳについて、どのグラフィックカードを認証したかをドライブに問合せ、装置が確かにボード上に搭載されていることをチェックする。このことは、明らかにセキュアなＯＳを必要とする。このことが、ホームネットワークにおけるリモートＤＶＤドライブからのプレイバックが許可されることが市場の要件である場合、問題の第二のハックシナリオを防止することができない。別のソリューションは、ＯＳについて、同じボックスにおける互換性のあるドライブ及び互換性のないグラフィックスカードの組み合わせを禁止する。
【００３１】
本発明は以下のように要約される場合がある。コピープロテクションのためのパーソナルコンピュータのグラフフィックスカードにおけるウォーターマーク検出は、標準化における多数の注意を導出するために最近開始している。グラフィックスカードにおける検出は、高いデータレート、大きなスケールレンジ及び表示領域における多数のビットストリームの存在に関連する必要がある、ＤＶＤドライブにおける前に考慮される検出とは完全に異なる問題を有する。本発明は、かかるルミナンス信号におけるウォーターマークを検出するために配置される従来のウォーターマーク検出器３１によるウォーターマーク検出の前に、コンピュータのＲＧＢ出力のルミナンス信号（Ｙ）への変換を提案する。調査されるモニタ画像の解像度は、コンピュータのＤＶＤドライブで再生されている（ＭＰＥＧ２圧縮された）コンテンツの従来のＴＶ解像度に変換されることが好ましい。多数の出力（ＶＧＡ，ＴＶ，ＤＶＩ）を提供するグラフィックカードでは、同じウォーターマーク検出器が時間的に連続して出力のそれぞれに接続される。
【図面の簡単な説明】
【００３２】
【図１】ＤＶＤドライブでのウォーターマーク検出による従来のパーソナルコンピュータアーキテクチャを概念的に示すブロック図である。
【図２】本発明の１態様に係るグラフィックスカードによるコンピュータシステムを示している。
【図３】本発明の更なる態様に係るグラフィックスカードによるコンピュータシステムを示す図である。
【図４】図４Ａ及び図４Ｂは、図３に示されるパーソナルコンピュータの動作を例示するスクリーンショットを示すである。
【図５】図２及び図３に示されるパーソナルコンピュータにより実行されるプロトコルの図である。
【図１】
2005537737.tif 000004
【図２】
2005537737.tif 000005
【図３】
2005537737.tif 000006
2005537737.tif 000007
【図５】
2005537737.tif 000008
【国際調査報告】
2005537737.tif 000009
2005537737.tif 000010
2005537737.tif 000011